【手続補正書】
【提出日】平成18年6月27日(2006.6.27)
【手続補正１】
【補正対象書類名】明細書
【補正対象項目名】特許請求の範囲
【補正方法】変更
【補正の内容】
【特許請求の範囲】
【請求項１】  一般構造式１で示される化合物であって、
【化１】
2002520328.tif 000001
ＡおよびＢは、４〜８個の原子からなる環構造を有し、単環式シクロアルキル類もしくは多環式シクロアルキル類、シクロアルケニル類、アリール類、ならびに複素環式環類を含む群から選択されるそれぞれ別異の縮合環を表しており；
ＸはNR２、PR２、AsR２、ORまたはSRで表され；
ＹはNR２、PR２、AsR２、OR、SR、SiR３、アルキルまたはHで表され；
ここで、R、R１、R２、R３およびR４は、それぞれ別異の水素、ハロゲン、アルキル、アルケニル、アルキニル、ヒドロキシル、アルコキシル、シリルオキシ、アミノ、ニトロ、スルフヒドリル、アルキルチオ、イミン、アミド、ホスホリル、ホスホネート、ホスフィン、カルボニル、カルボキシル、カルボキシアミド、アンヒドリド、シリル、チオアルキル、アルキルスルフォニル、アリールスルフォニル、セレノアルキル、ケトン、アルデヒド、エステル、ヘテロアルキル、ニトリル、グアニジン、アミジン、アセタール、ケタール、アミンオキシド、アリール、ヘテロアリール、アジド、アジリジン、カルバメート、エポキシド、ヒドロキサム酸、イミド、オキシム、スルフォンアミド、チオアミド、チオカルバメート、ウレア、チオウレア、または−(CH２)m−R80であり；
R５およびR６は、それぞれ別異のハロゲン、アルキル、アルケニル、アルキニル、ヒドロキシル、アルコキシル、シリルオキシ、アミノ、ニトロ、スルフヒドリル、アルキルチオ、イミン、アミド、ホスホリル、ホスホネート、ホスフィン、カルボニル、カルボキシル、カルボキシアミド、アンヒドリド、シリル、チオアルキル、アルキルスルフォニル、アリールスルフォニル、セレノアルキル、ケトン、アルデヒド、エステル、ヘテロアルキル、ニトリル、グアニジン、アミジン、アセタール、ケタール、アミンオキシド、アリール、ヘテロアリール、アジド、アジリジン、カルバメート、エポキシド、ヒドロキサム酸、イミド、オキシム、スルフォンアミド、チオアミド、チオカルバメート、ウレア、チオウレア、または−(CH２)m−R80であり；
ＡおよびＢはそれぞれ別異に未置換であるか、または安定性および原子価則に基づく限度までは任意にR５およびR６が置換されており；
R１およびR２ならびに／またはR３およびR４は、相互に作用して、総原子数が５〜７個からなる環構造骨格を表すことができ、該環構造は、その骨格内に１または２個のヘテロ原子を有することができ、また、該環構造はさらに置換基を有することも有しないことも可能であり、
R80は、未置換もしくは置換アリール、シクロアルキル、シクロアルケニル、複素環、または多環を表し；
ｍは０〜８までの整数であり； 
リガンドがキラルの場合には、鏡像異性体の混合物または鏡像異性体のうちのいずれか一方の形で提供することができ；
ＡおよびＢがいずれも未置換の融合ベンゾ環を示す場合、ＸおよびＹは同じでないか、あるいは、ＹがOR、SR、AsR２、アルキルまたはHである場合ＸはPR２でなく；
さらにＡおよびＢがいずれも未置換の融合ナフト環を示す場合、ＹがORであればＸはPR２でなく；
さらにＡおよびＢがいずれも未置換の融合シクロヘキシル環を示す場合、ＸおよびＹは同じでなく；
さらにＡおよびＢがいずれも存在しない場合、ＸおよびＹは両方がPR２ではない；
ことを特徴とする化合物。
【請求項２】  ＸとＹが異なっており；
ここでRは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され；
R１、R２、R３およびR４は、H、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択され；さらに、
R５およびR６は、H、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択される
ことを特徴とする請求項１記載の化合物。
【請求項３】  Ｙがアルキルであり；
ＸがPR２で表され；
ここでRは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され；
R１、R２、R３およびR４は、H、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択され；さらに、
R５およびR６は、H、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択される
ことを特徴とする請求項１記載の化合物。
【請求項４】  Ｙがアルキルであり；
ＸがPR２で表され；
ここでRは、アルキルおよびシクロアルキルを含む群からそれぞれ別異に選択され；
R１、R２、R３およびR４は、H、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択され；さらに、
R５およびR６は、H、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択される
ことを特徴とする請求項１記載の化合物。
【請求項５】  ＸがPR２である場合に、Ｘ内のＰが非対称であり、鏡像異性体のうちの一方が多く存在することを特徴とする請求項１記載の化合物。
【請求項６】  ＸがPR２である場合に、Ｘ内のＰが非対称であり、二芳香核が軸性キラルであり、鏡像異性体またはジアステレオ異性体のうちのひとつが多く存在することを特徴とする請求項１記載の化合物。
【請求項７】  一般構造式２で示される化合物であって、
【化２】
2002520328.tif 000002
ＸはNR２、PR２、AsR２、ORまたはSRで表され；
ＹはNR２、PR２、AsR２、OR、SR、SiR３、アルキルまたはHで表され；
ここで、R、R１、R２、R３、R４、R５、R６、R７およびR８は、それぞれ別異の水素、ハロゲン、アルキル、アルケニル、アルキニル、ヒドロキシル、アルコキシル、シリルオキシ、アミノ、ニトロ、スルフヒドリル、アルキルチオ、イミン、アミド、ホスホリル、ホスホネート、ホスフィン、カルボニル、カルボキシル、カルボキシアミド、アンヒドリド、シリル、チオアルキル、アルキルスルフォニル、アリールスルフォニル、セレノアルキル、ケトン、アルデヒド、エステル、ヘテロアルキル、ニトリル、グアニジン、アミジン、アセタール、ケタール、アミンオキシド、アリール、ヘテロアリール、アジド、アジリジン、カルバメート、エポキシド、ヒドロキサム酸、イミド、オキシム、スルフォンアミド、チオアミド、チオカルバメート、ウレア、チオウレア、または−(CH２)m−R80であり；
互いにオルト位に存在する任意の置換基対はR１、R２、R３、R５、R６およびR７を含む群から選択され、これらの置換基は相互に作用して、総原子数が５〜７個からなる環構造骨格を表すことができ；該環構造は、その骨格内に１または２個のヘテロ原子を有することができ；また、該環構造はさらに置換基を有することも有しないことも可能であり、
R８０は、置換もしくは未置換アリール、シクロアルキル、シクロアルケニル、複素環、または多環を表し；
ｍは０〜８までの整数であり； 
リガンドがキラルの場合には、鏡像異性体の混合物または鏡像異性体のうちのいずれか一方の形で提供することができ；
Ｒがアルキル、アリールまたはヘテロアリールである場合、ＸおよびＹは両方がPR２ではない；
ことを特徴とする化合物。
【請求項８】  ＸとＹが異なっており；
Rは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され；
R１、R２、R３、R４、R５、R６、R７およびR８は、H、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択される
ことを特徴とする請求項７記載の化合物。
【請求項９】  Ｙがアルキルであり；
ＸがPR２で表され；
ここでRは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され；
R１、R２、R３、R４、R５、R６、R７およびR８は、H、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択される
ことを特徴とする請求項７記載の化合物。
【請求項１０】  Ｙがアルキルであり；
ＸがPR２で表され；
ここでRは、アルキルおよびシクロアルキルを含む群からそれぞれ別異に選択され；
R１、R２、R３、R４、R５、R６、R７およびR８は、H、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択される
ことを特徴とする請求項７記載の化合物。
【請求項１１】  ＸがPR２である場合に、Ｘ内のＰが不斉であり；鏡像異性体のうちの一方が多く存在することを特徴とする請求項７記載の化合物。
【請求項１２】  ＸがPR２である場合に、Ｘ内のＰが不斉であり；ビフェニル核が軸性キラルであることを特徴とする請求項７記載の化合物。
【請求項１３】  一般構造式３で示される化合物であって、
【化３】
2002520328.tif 000003
ＸはNR２、PR２、AsR２、ORまたはSRで表され；
ＹはNR２、PR２、AsR２、OR、SR、SiR３、アルキルまたはHで表され；
ここで、R、R１、R２、R３およびR４は、それぞれ別異の水素、ハロゲン、アルキル、アルケニル、アルキニル、ヒドロキシル、アルコキシル、シリルオキシ、アミノ、ニトロ、スルフヒドリル、アルキルチオ、イミン、アミド、ホスホリル、ホスホネート、ホスフィン、カルボニル、カルボキシル、カルボキシアミド、アンヒドリド、シリル、チオアルキル、アルキルスルフォニル、アリールスルフォニル、セレノアルキル、ケトン、アルデヒド、エステル、ヘテロアルキル、ニトリル、グアニジン、アミジン、アセタール、ケタール、アミンオキシド、アリール、ヘテロアリール、アジド、アジリジン、カルバメート、エポキシド、ヒドロキサム酸、イミド、オキシム、スルフォンアミド、チオアミド、チオカルバメート、ウレア、チオウレア、または−(CH２)m−R80であり；
R５およびR６は、それぞれ別異のハロゲン、アルキル、アルケニル、アルキニル、ヒドロキシル、アルコキシル、シリルオキシ、アミノ、ニトロ、スルフヒドリル、アルキルチオ、イミン、アミド、ホスホリル、ホスホネート、ホスフィン、カルボニル、カルボキシル、カルボキシアミド、アンヒドリド、シリル、チオアルキル、アルキルスルフォニル、アリールスルフォニル、セレノアルキル、ケトン、アルデヒド、エステル、ヘテロアルキル、ニトリル、グアニジン、アミジン、アセタール、ケタール、アミンオキシド、アリール、ヘテロアリール、アジド、アジリジン、カルバメート、エポキシド、ヒドロキサム酸、イミド、オキシム、スルフォンアミド、チオアミド、チオカルバメート、ウレア、チオウレア、または−(CH２)m−R80であり；
ビナフチル核のＢおよびＢ’環は、それぞれ別異に未置換であるか、または安定性および原子価則に基づく限度までは任意にR５およびR６で置換されており；
R１およびR２ならびに／またはR3およびR4は、相互に作用して、総原子数が５〜７個からなる環構造骨格を表すことができ；該環構造は、その骨格内に１または２個のヘテロ原子を有することができ；また、該環構造はさらに置換基を有することも有しないことも可能であり、
R８０は、置換もしくは未置換アリール、シクロアルキル、シクロアルケニル、複素環、または多環を表し；
ｍは０〜８までの整数であり；さらに、
リガンドがキラルの場合には、鏡像異性体の混合物または鏡像異性体のうちのいずれか一方の形で提供することができる
ことを特徴とする化合物。
【請求項１４】  ＸとＹが異なっており；
Rは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され；
R１、R２、R３およびR４は、H、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択され；さらに、
R５およびR６は、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択される
ことを特徴とする請求項１３記載の化合物。
【請求項１５】  Ｙがアルキルであり；
ＸがPR２で表され；
ここでRは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され；
R１、R２、R３およびR４は、H、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択され；さらに、
R５およびR６は、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択される
ことを特徴とする請求項１３記載の化合物。
【請求項１６】  Ｙがアルキルであり；
ＸがPR２で表され；
ここでRは、アルキルおよびシクロアルキルを含む群からそれぞれ別異に選択され；
R１、R２、R３およびR４は、H、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択され；さらに、
R５およびR６は、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択される
ことを特徴とする請求項１３記載の化合物。
【請求項１７】  ＸがPR２である場合に、Ｘ内のＰが不斉であり；鏡像異性体のうちの一方が多く存在することを特徴とする請求項１３記載の化合物。
【請求項１８】  ＸがPR２である場合に、Ｘ内のＰが不斉であり；ビナフチル核が軸性キラルであることを特徴とする請求項１３記載の化合物。
【請求項１９】  一般構造式４で示される化合物であって、
【化４】
2002520328.tif 000004
Rは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され；
ビナフチル核のAおよびA’環は、それぞれ別異に未置換であるか、または安定性および原子価則に基づく限度までは任意にR１およびR２で置換されており；
R１およびR２は、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択され、
R８０は、置換もしくは未置換アリール、シクロアルキル、シクロアルケニル、複素環、または多環を表し；
ｍは０〜８までの整数であり；さらに、
リガンドがキラルの場合には、鏡像異性体の混合物または鏡像異性体のうちのいずれか一方の形で提供することができる
ことを特徴とする化合物。
【請求項２０】  R１およびR２は水素であって、
Nに結合している２個のRは明らかに低級アルキル、好ましくはメチルであり；さらに、
Pに結合している２個のRは明らかにシクロアルキル、好ましくはシクロヘキシルである
ことを特徴とする請求項１９記載の化合物。
【請求項２１】  PR２基が不斉P原子を含むことを特徴とする請求項１９記載の化合物。
【請求項２２】  PR２基が不斉P原子を含み、ビフェニル核が軸性キラルであることを特徴とする請求項１９記載の化合物。
【請求項２３】  一般構造式５で示される化合物であって、
【化５】
2002520328.tif 000005
Rは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され；
ビナフチル核のA、B、A’およびB'環は、それぞれ別異に未置換であるか、または安定性および原子価則に基づく限度までは任意にR１、R２、R３およびR４で置換されており；
R１、R２、R３およびR４は、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択され；
R８０は、置換もしくは未置換アリール、シクロアルキル、シクロアルケニル、複素環、または多環を表し；
ｍは０〜８までの整数であり； 
リガンドがキラルの場合には、鏡像異性体の混合物または鏡像異性体のうちのいずれか一方の形で提供することができ；
Ｒがシクロアルキルまたはアリールの場合、R１、R２、R３およびR４の少なくとも１つの場合が存在する；
ことを特徴とする化合物。
【請求項２４】  R１、R２、R３およびR４は存在せず、
すべてのRが低級アルキルまたはシクロアルキル、好ましくはシクロヘキシルである
ことを特徴とする請求項２３記載の化合物。
【請求項２５】  少なくとも１個のPR２基が不斉P原子を含むことを特徴とする請求項２３記載の化合物。
【請求項２６】  少なくとも１個のPR２基が不斉P原子を含み；ビナフチル核が軸性キラルであることを特徴とする請求項２３記載の化合物。
【請求項２７】  一般構造式６で示される化合物であって、
【化６】
2002520328.tif 000006
Rは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され；
ビフェニル核のAおよびA’環は、それぞれ別異に未置換であるか、または安定性および原子価則に基づく限度までは任意にR１およびR２で置換されており；
R１およびR２は、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択され、
R８０は、置換もしくは未置換アリール、シクロアルキル、シクロアルケニル、複素環、または多環を表し；
ｍは０〜８までの整数であり； 
リガンドがキラルの場合には、鏡像異性体の混合物または鏡像異性体のうちのいずれか一方の形で提供することができ；
Ｒの全てが同一であり、アルキル、シクロアルキルおよびアリールから成る群より選択される場合、R１およびR２の少なくとも２つの場合が存在し；さらに、
Ｒがアルキル、シクロアルキル、アリールおよびヘテロアリールから成る群より選択される場合、化合物６のビフェニル核は、6および6’位置でメチルまたはメトキシ基を有しない；
ことを特徴とする化合物。
【請求項２８】  R１およびR２は存在せず、
すべてのRが低級アルキルまたはシクロアルキル、好ましくはシクロヘキシルである
ことを特徴とする請求項２７記載の化合物。
【請求項２９】  少なくとも１個のPR２基が不斉P原子を含むことを特徴とする請求項２７記載の化合物。
【請求項３０】  少なくとも１個のPR２基が不斉P原子を含み；ビフェニル核が軸性キラルであることを特徴とする請求項２７記載の化合物。
【請求項３１】  一般構造式７で示される化合物であって、
【化７】
2002520328.tif 000007
Rは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され；
ビナフチル核のA、B、A’およびB'環は、それぞれ別異に未置換であるか、または安定性および原子価則に基づく限度までは任意にR１、R２、R３およびR４で置換されており；
R１、R２、R３およびR４は、アルキル、ヘテロアルキル、シクロアルキル、ヘテロシクロアルキル、アリール、ヘテロアリール、アラルキル、ヘテロアラルキル、ハロゲン、−SiR３および−(CH２)m−R80を含む群からそれぞれ別異に選択され、
R８０は、置換もしくは未置換アリール、シクロアルキル、シクロアルケニル、複素環、または多環を表し；
ｍは０〜８までの整数であり；さらに、
リガンドがキラルの場合には、鏡像異性体の混合物または鏡像異性体のうちのいずれか一方の形で提供することができる
ことを特徴とする化合物。
【請求項３２】  R１、R２、R３およびR４は存在せず、
Nに結合している２個のRは明らかに低級アルキル、好ましくはメチルであり；さらに、
Pに結合している２個のRは明らかにシクロアルキル、好ましくはシクロヘキシルである
ことを特徴とする請求項３１記載の化合物。
【請求項３３】  PR２基が不斉P原子を含むことを特徴とする請求項３１記載の化合物。
【請求項３４】  PR２基が不斉P原子を含み、ビナフチル核が軸性キラルであることを特徴とする請求項３１記載の化合物。
【請求項３５】  一般構造式８で示される化合物であって、
【化８】
2002520328.tif 000008
ArおよびAr'は、随意に置換されたアリール部位またはヘテロアリール部位を含む群からそれぞれ別異に選択され；ArおよびAr'の両方が随意に置換されたアリールではなく；Ar'がナフチルを示し、Arがイソキノリニルを示し、ＹがHである場合、ＸはP(Ph)2ではなく；
ＸはNR２、PR２、AsR２、ORまたはSRで表され；
ＹはNR２、PR２、AsR２、OR、SR、SiR３、アルキルまたはHで表され；
Ｒは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され、
R８０は、置換もしくは未置換アリール、シクロアルキル、シクロアルケニル、複素環、または多環を表し；
ｍは０〜８までの整数であり；さらに、
リガンドがキラルの場合には、鏡像異性体の混合物または鏡像異性体のうちのいずれか一方の形で提供することができる
ことを特徴とする化合物。
【請求項３６】  ＸがPR２である場合に、Ｘ内のＰ原子が不斉であり；鏡像異性体のうちの一方が多く存在することを特徴とする請求項３５記載の化合物。
【請求項３７】  ＸがPR２である場合に、Ｘ内のＰ原子が不斉であり；二芳香核が軸性キラルであり；さらに、鏡像異性体またはジアステレオ異性体のうちのひとつが多く存在することを特徴とする請求項３５記載の化合物。
【請求項３８】  一般構造式９で示される化合物であって、
【化９】
2002520328.tif 000009
Arは、随意に置換された芳香環部位、複素芳香環部位またはフェロセニル部位を含む群を表し；
Ｒは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され、
R８０は、置換もしくは未置換アリール、シクロアルキル、シクロアルケニル、複素環、または多環を表し；
ｍは０〜８までの整数であり； 
リガンドがキラルの場合には、鏡像異性体の混合物または鏡像異性体のうちのいずれか一方の形で提供することができ；
Ｒの両方がシクロアルキルまたはアリールを示さず；
Arが2-メトキシフェニルである場合、PR2はシクロヘキシルメチルホスフィノ、tert-ブチルメチルホスフィノまたはジメチルホスフィノではなく；
Arがフェニルである場合、PR2はジメチルホスフィノまたは（tert-ブチル）メチルホスフィノではなく；
Ｒがそれぞれの発生アルキルについて独立して、シクロアルキル、アリールまたはヘテロアリールを示す場合、Arは6,6’-ジメチルビフェン-2-ylまたは6,6’-ジメトキシビフェン-2-ylではなく；
Ｒの両方がtert-ブチルを示す場合、Arはフェニル、2-メトキシフェニル、2-イソプロピルフェニル、2-エチルフェニル、2,3-ジメトキシフェニルまたは2,6-ジメトキシフェニルを示さない；
ことを特徴とする化合物。
【請求項３９】  Arが随意に置換された２−ビフェニル部位を表すことを特徴とする請求項３８記載の化合物。
【請求項４０】  Arが２−ビフェニル部位を表すことを特徴とする請求項３８記載の化合物。
【請求項４１】  Rがアルキルを表すことを特徴とする請求項３８記載の化合物。
【請求項４２】  Rがtert−ブチルまたはシクロヘキシルを表すことを特徴とする請求項３８記載の化合物。
【請求項４３】  Arが随意に置換された２−ビフェニル部位を表し；さらに、Rがアルキルを表すことを特徴とする請求項３８記載の化合物。
【請求項４４】  Arが２−ビフェニル部位を表し；さらに、Rがアルキルを表すことを特徴とする請求項３８記載の化合物。
【請求項４５】  Arが随意に置換された２−ビフェニル部位を表し；さらに、Rがtert−ブチルまたはシクロヘキシルを表すことを特徴とする請求項３８記載の化合物。
【請求項４６】  Arが２−ビフェニル部位を表し、さらに、Rがtert−ブチルまたはシクロヘキシルを表すことを特徴とする請求項３８記載の化合物。
【請求項４７】  PR２内のP原子が不斉であることを特徴とする請求項３８記載の化合物。
【請求項４８】  一般構造式１０で示される化合物であって、
【化１０】
2002520328.tif 000010
ＸはNR２、PR２、AsR２、ORまたはSRで表され；
Ｒは、アルキル、ヘテロアルキル、シクロアルキル、ヘテロシクロアルキル、アリール、ヘテロアリール、アラルキル、ヘテロアラルキル、および−(CH２)m−R80を含む群からそれぞれ別異に選択され；
o−テルフェニル核の３個のフェニル環はそれぞれ別異に未置換であるか、または安定性および原子価則に基づく限度までは任意にR１、R２もしくはR３で置換されており；
R１、R２およびR３は、アルキル、ヘテロアルキル、シクロアルキル、ヘテロシクロアルキル、アリール、ヘテロアリール、アラルキル、ヘテロアラルキル、ハロゲン、−SiR３−および−(CH２)m−R80を含む群からそれぞれ別異に選択され；
R８０は、置換もしくは未置換アリール、シクロアルキル、シクロアルケニル、複素環、または多環を表し；
ｍは０〜８までの整数であり；さらに、
リガンドがキラルの場合には、鏡像異性体の混合物または鏡像異性体のうちのいずれか一方の形で提供することができる
ことを特徴とする化合物。
【請求項４９】  式１で表される一般的な反応の方法であって、
【化１１】
2002520328.tif 000011
Arは、随意に置換された単環式芳香環部位および多環式芳香環部位、ならびに複素芳香環部位を含む群から選択され；
Ｘは、Cl、Br、I、-OS(O)２アルキルおよび-OS(O)２アリールを含む群から選択され；
R'およびR''は、H、アルキル、ヘテロアルキル、アリール、ヘテロアリール、アラルキル、アルコキシル、アミノ、トリアルキルシリルおよびトリアリールシリルを含む群からそれぞれ別異に選択され；
R'およびR''は、相互に作用して、総原子数が３〜10個からなる随意に置換された環構造骨格を表すことができ、該環構造は、R'およびR''が結合している窒素原子以外に１個またはそれ以上のヘテロ原子を随意に有することができ；
R'および／またはR''は、アミノ化反応が分子内で生じたかのようにArに共有することができ；
遷移金属は５〜12属の金属、好ましくはVIIIA属から選択され；
リガンドは、請求項１−４８に記載の任意のリガンドから選択され；さらに、
塩基は、ヒドリド類、カーボネート類、フルオライド類、ホスフェート類、アルコキシド類、フェノキシド類、アミド類、カーバニオン類およびシリルアニオン類を含む群から選択される
ことを特徴とする方法。
【請求項５０】  式２で表される一般的なカップリング反応の方法であって、
【化１２】
2002520328.tif 000012
このとき、ArおよびAr'は、随意に置換された芳香環部位、複素芳香環部位およびアルケニル部位を含む群からそれぞれ別異に選択され；
Ｘは、Cl、Br、I、-OS(O)２アルキルおよび-OS(O)２アリールを含む群から選択され；
Mは、B(OR)２、Mg（ハロゲン化物）またはZn（ハロゲン化物）で表され；Rは、H、メチル、アルキル、ヘテロアルキル、アリールまたはヘテロアリールからそれぞれ別異に選択され；あるいは、B(OR)２のように２個のRが存在する場合には、相互に作用して、随意に置換され、炭素数が２または３個である、２個のO原子間の連結鎖を表すこともでき；
ArおよびAr'は、反応が分子内で生じたかのように共有結合することができ；
遷移金属は５〜12属の金属、好ましくはVIIIA属から選択され；
リガンドは、請求項１−４８に記載の任意のリガンドから選択され；さらに、
塩基は、カーボネート類、ホスフェート類、フルオライド類、アルコキシド類、アミド類、カーバニオン類およびシリルアニオン類を含む群から選択される
ことを特徴とする方法。
【請求項５１】  式３で表される一般的なカップリング反応の方法であって、
【化１３】
2002520328.tif 000013
このとき、Arは、随意に置換された芳香環部位、複素芳香環部位およびアルケニル部位を含む群から選択され；
Rは、随意に置換されたアルキル、ヘテロアルキルおよびアラルキルを含む群から選択され；
R'は、アルキルおよびヘテロアルキルを含む群からそれぞれ別異に選択され、ここで、該アルキル基およびヘテロアルキル基の炭素−ホウ素結合は反応条件下において不活性であって、例えば、BR'２は相互に作用して９−ボロビシクロ[３．３．１]ノニルを形成しており、
Mは、B(R')２、Mg（ハロゲン化物）またはZn（ハロゲン化物）で表され；ArXのＸは、Cl、Br、I、-OS(O)２アルキルおよび-OS(O)２アリールを含む群から選択され；
ArおよびRは、反応が分子内で生じたかのように共有結合することができ；
遷移金属は５〜12属の金属、好ましくはVIIIA属から選択され；
リガンドは、請求項１−４８に記載の任意のリガンドから選択され；さらに、
塩基は、カーボネート類、ホスフェート類、フルオライド類、アルコキシド類、アミド類、カーバニオン類およびシリルアニオン類を含む群から選択される
ことを特徴とする方法。
【請求項５２】  式４で表される一般的なα−アリール化反応の方法であって、
【化１４】
2002520328.tif 000014
このとき、Arは、随意に置換された単環式芳香環部位および多環式芳香環部位ならびに複素芳香環部位を含む群から選択され；
Xは、Cl、Br、I、-OS(O)２アルキルおよび-OS(O)２アリールを含む群から選択され；
Gは、ホルミル、アシル、−CN、−C(O)OR、−C(O)NR2、ニトロ、ニトロソ、−S(O)２R、−SO３R、−S(O)２NR２、−C(NR)-R、−C(NOR)-Rおよび−C(NNR２)-Rを含む群からそれぞれ別異に選択される電子求引性基を表し；
Rは、水素（H）、アルキル、アリール、ヘテロアルキル、ヘテロアリール、ハロゲン、アルキルアミノ、アリールアミノ、アルキルチオ、アリールチオ、アルコキシ、アリールオキシ、または−(CH２)m−R80を含む群からそれぞれ別異に選択され；
R８０は、それぞれ別異に、置換もしくは未置換アリール、シクロアルキル、シクロアルケニル、複素環、または多環を表し；
ｍは、０〜８までの整数からそれぞれ別異に選択され；
qは、１〜３までの整数であり；
pは、（３−q）に等しい整数であり；
ArおよびRのうちのひとつは、反応が分子内で生じたかのように共有結合することができ；
遷移金属は５〜12属の金属、好ましくはVIIIA属から選択され；
リガンドは、請求項１−４８に記載の任意のリガンドから選択され；さらに、
塩基は、カーボネート類、ホスフェート類、フルオライド類、アルコキシド類、アミド類、カーバニオン類およびシリルアニオン類を含む群から選択される
ことを特徴とする方法。
【請求項５３】  式５で表される一般的なα−ビニル化反応の方法であって、
【化１５】
2002520328.tif 000015
このとき、Xは、Cl、Br、I、-OS(O)２アルキルおよび-OS(O)２アリールを含む群から選択され；
Gは、ホルミル、アシル、−CN、−C(O)OR、−C(O)NR2、ニトロ、ニトロソ、−S(O)２R、−SO３R、−S(O)２NR２、−C(NR)-R、−C(NOR)-Rおよび−C(NNR２)-Rを含む群からそれぞれ別異に選択される電子求引性基を表し；
Rは、水素（H）、アルキル、アリール、ヘテロアルキル、ヘテロアリール、ハロゲン、アルキルアミノ、アリールアミノ、アルキルチオ、アリールチオ、アルコキシ、アリールオキシ、または−(CH２)m−R80を含む群からそれぞれ別異に選択され；
R'は、水素（H）、アルキル、アリール、アラルキル、ヘテロアルキル、ヘテロアリール、ヘテロアラルキル、アルキルアミノ、アリールアミノ、アルキルチオ、アリールチオ、アルコキシ、アリールオキシ、または−(CH２)m−R80を含む群からそれぞれ別異に選択され；
R８０は、それぞれ別異に、置換もしくは未置換アリール、シクロアルキル、シクロアルケニル、複素環、または多環を表し；
ｍは、０〜８までの整数からそれぞれ別異に選択され；
qは、１〜３までの整数であり；
pは、（３−q）に等しい整数であり；
RのうちのひとつおよびR'のうちのひとつは、反応が分子内で生じたかのように共有結合することができ；
遷移金属は５〜12属の金属、好ましくはVIIIA属から選択され；
リガンドは、請求項１−４８に記載の任意のリガンドから選択され；さらに、
塩基は、カーボネート類、ホスフェート類、フルオライド類、アルコキシド類、アミド類、カーバニオン類およびシリルアニオン類を含む群から選択される
ことを特徴とする方法。
【請求項５４】  式６で表される一般的なo−アリール化反応の方法であって、
【化１６】
2002520328.tif 000016
このとき、Arは、随意に置換された単環式芳香環部位および多環式芳香環部位ならびに複素芳香環部位を含む群から選択され；
Xは、Cl、Br、I、-OS(O)２アルキルおよび-OS(O)２アリールを含む群から選択され；
R''は、アルキル、アリール、アラルキル、ヘテロアルキル、ヘテロアリール、ヘテロアラルキル、−Si（アルキル）３、−Si（アリール）３または−(CH２)m−R80を含む群からそれぞれ別異に選択され；
R８０は、それぞれ別異に、置換もしくは未置換アリール、シクロアルキル、シクロアルケニル、複素環、または多環を表し；
ｍは、０〜８までの整数からそれぞれ別異に選択され；
ArおよびR''は、反応が分子内で生じたかのように共有結合することができ；
遷移金属は５〜12属の金属、好ましくはVIIIA属から選択され；
リガンドは、請求項１−４８に記載の任意のリガンドから選択され；さらに、
塩基は、カーボネート類、ホスフェート類、フルオライド類、アルコキシド類、アミド類、カーバニオン類およびシリルアニオン類を含む群から選択される
ことを特徴とする方法。
【請求項５５】  式７で示される一般的なo−ビニル化反応の方法であって、
【化１７】
2002520328.tif 000017
このとき、Xは、Cl、Br、I、-OS(O)２アルキルおよび-OS(O)２アリールを含む群から選択され；
R'は、水素、アルキル、アリール、アラルキル、ヘテロアルキル、ヘテロアリール、ヘテロアラルキル、アルキルアミノ、アリールアミノ、アルキルチオ、アリールチオ、アルコキシ、アリールオキシまたは−(CH２)m−R80を含む群からそれぞれ別異に選択され；
R''は、アルキル、アリール、アラルキル、ヘテロアルキル、ヘテロアリール、ヘテロアラルキル、−Si（アルキル）３、−Si（アリール）３または−(CH２)m−R80を含む群からそれぞれ別異に選択され；
R８０は、それぞれ別異に、置換もしくは未置換アリール、シクロアルキル、シクロアルケニル、複素環、または多環を表し；
ｍは、０〜８までの整数からそれぞれ別異に選択され；
R''およびR'は、反応が分子内で生じたかのように共有結合することができ；
遷移金属は５〜12属の金属、好ましくはVIIIA属から選択され；
リガンドは、請求項１−４８に記載の任意のリガンドから選択され；さらに、
塩基は、カーボネート類、ホスフェート類、フルオライド類、アルコキシド類、アミド類、カーバニオン類およびシリルアニオン類を含む群から選択される
ことを特徴とする方法。
【請求項５６】  式８で表される一般的なヘック反応の方法であって、
【化１８】
2002520328.tif 000018
このとき、Arは、随意に置換された芳香環部位、複素芳香環部位およびアルケニル部位を含む群から選択され；
Xは、Cl、Br、I、-OS(O)２アルキルおよび-OS(O)２アリールを含む群から選択され；
R'は、水素、アルキル、アリール、アラルキル、ヘテロアルキル、ヘテロアリール、ヘテロアラルキル、アルキルアミノ、アリールアミノ、アルキルチオ、アリールチオ、アルコキシ、アリールオキシまたは−(CH２)m−R80を含む群からそれぞれ別異に選択され；
R８０は、それぞれ別異に、置換もしくは未置換アリール、シクロアルキル、シクロアルケニル、複素環、または多環を表し；
ｍは、０〜８までの整数からそれぞれ別異に選択され；
ArおよびR'のうちのひとつは、反応が分子内で生じたかのように共有結合することができ；
遷移金属は５〜12属の金属、好ましくはVIIIA属から選択され；
リガンドは、請求項１−４８に記載の任意のリガンドから選択され；さらに、
塩基は、カーボネート類、ホスフェート類、フルオライド類、アルコキシド類、アミド類、カーバニオン類およびシリルアニオン類を含む群から選択される
ことを特徴とする方法。
【請求項５７】  式９で表される一般的なヘック反応の方法であって、
【化１９】
2002520328.tif 000019
このとき、Arは、随意に置換された芳香環部位、複素芳香環部位およびアルケニル部位を含む群から選択され；
Xは、Cl、Br、I、-OS(O)２アルキルおよび-OS(O)２アリールを含む群から選択され；
R'は、水素、アルキル、アリール、アラルキル、ヘテロアルキル、ヘテロアリール、ヘテロアラルキル、アルキルアミノ、アリールアミノ、アルキルチオ、アリールチオ、アルコキシ、アリールオキシまたは−(CH２)m−R80を含む群からそれぞれ別異に選択され；
R８０は、それぞれ別異に、置換もしくは未置換アリール、シクロアルキル、シクロアルケニル、複素環、または多環を表し；
ｍは、０〜８までの整数からそれぞれ別異に選択され；
ArおよびR'は、反応が分子内で生じたかのように共有結合することができ；
遷移金属は５〜12属の金属、好ましくはVIIIA属から選択され；
リガンドは、請求項１−４８に記載の任意のリガンドから選択され；さらに、
塩基は、カーボネート類、ホスフェート類、フルオライド類、アルコキシド類、アミド類、カーバニオン類およびシリルアニオン類を含む群から選択される
ことを特徴とする方法。